(57)【要約】【課題】上げ下げ窓の開閉操作を静穏に、且、円滑に行うことができるパイプバランサを提供する。【解決手段】外ケース１１は、パイプ状である。回転力保持体１３は、長さ方向に向かって蔓巻状に伸びている。載荷棒１２は、長さ方向に向かってスクリュウ状に捻られている。第１の筒状部材１４は、少なくとも、内周面及び外周面が合成樹脂でなる。第２の筒状部材１５は、少なくとも、内周面及び外周面が合成樹脂でなる。載荷棒１２は、第１の筒状部材１４の内部に挿入されている。第１の筒状部材１４は、回転力保持体１３の内部に挿入されている。回転力保持体１３は、第２の筒状部材１５の内部に挿入されている。第２の筒状部材１５は、外ケース１１の内部に挿入されている。【選択図】　　　図１
2004019349.tif 000002
【特許請求の範囲】
【請求項１】
外ケースと、回転力保持体と、載荷棒と、第１の筒状部材と、第２の筒状部材とを含むパイプバランサであって、
前記外ケースは、パイプ状であり、
前記回転力保持体は、長さ方向に向かって蔓巻状に伸びており、
前記載荷棒は、長さ方向に向かってスクリュウ状に捻られており、
前記第１の筒状部材は、少なくとも、内周面及び外周面が合成樹脂でなり、
前記第２の筒状部材は、少なくとも、内周面及び外周面が合成樹脂でなり、
前記載荷棒は、前記第１の筒状部材の内部に挿入されており、
前記第１の筒状部材は、前記回転力保持体の内部に挿入されており、
前記回転力保持体は、前記第２の筒状部材の内部に挿入されており、
前記第２の筒状部材は、前記外ケースの内部に挿入されている
パイプバランサ。
【発明の詳細な説明】
【０００１】
【発明の属する技術分野】
本発明は、上げ下げ窓に用いるパイプバランサに関する。
【０００２】
【従来の技術】
近年、住宅用サッシについて、上げ下げ窓が多く用いられるようになっている。上げ下げ窓の開閉操作に用いられるサッシ金物の方式としては、分銅方式、ラッチ方式のほか、いくつかの方式があるが、住宅用には、所謂パイプバランサと言われるものが一般的に用いられる。
【０００３】
通常、パイプバランサは外ケースを有し、外ケースは上げ下げ窓のサッシ縦枠に、ほぼ等しい長さのパイプ状となっている。さらに、パイプバランサは、外ケースの内部に、回転力保持体と、載荷棒とが納められている。回転力保持体は外ケースとほぼ同じ長さで蔓巻状に伸びており、載荷棒は外ケースとほぼ同じ長さでスクリュウ状に捻られている。
【０００４】
上げ下げ窓への組み込みに当たっては、パイプバランサの上端部をサッシ縦枠上端に固定し、載荷棒の下端部を上げ下げ窓の下框に固定することにより、左右に取付けた２本のパイプバランサで、上げ下げ窓をサッシ縦枠に吊り下げられた状態にする。
【０００５】
上記の取り付け構造において、上げ下げ窓を下に下げると、上げ下げ窓に連結した載荷棒が外ケースから引き出される。載荷棒のスクリュウ状に捻られた部分は、回転力保持体の下端に設けられたスリット部分を通過するときに、回転力保持体に捻り回転を与える。捻り回転を与えられた回転力保持体には、元に戻ろうとする力が蓄えられており、この元に戻ろうとする力が載荷棒を上に押し上げる力として作用する。そして、載荷棒を上に押し上げる力と、上げ下げ窓の重量とがバランスして、上げ下げ窓を開閉位置に自在に留め置くことができることになる。
【０００６】
上述した従来のパイプバランサにおいては、回転力保持体と、載荷棒とは、相互になんら隔離保護手段を有せず、表面を露出した状態で外ケースの内部に収納される構造であった。このため、上げ下げ窓の開閉操作に連動して、載荷棒がパイプから引き出され、又は、押し入れられるたびに、回転力保持体と載荷棒との間で、摩擦が発生し、耳障りな接触音を発するとともに、接触箇所の磨耗による作動不良が頻発していた。
【０００７】
上述した従来の問題点を解消する手段として、載荷棒にグリース等の液状、若しくは、粘液状の緩衝材を塗布する構造や、載荷棒の外周にシートを配置する構造が知られているが、それぞれの構造には次の問題点がある。
（ａ）載荷棒にグリース等の緩衝材を塗布する構造では、定期的な緩衝材の補充が必要不可欠となり、取り扱いが容易でない。
（ｂ）載荷棒にグリース等の緩衝材を塗布する構造では、塗布むらが発生しやすく、安定した緩衝効果を維持できない。
（ｃ）載荷棒にグリース等の緩衝材を塗布する構造では、緩衝材が外部に漏出する恐れがあり、取り扱いが容易でない。
（ｄ）載荷棒の外周にシートを配置する構造では、巻き込み事故が発生しやすい。
（ｅ）載荷棒の外周にシートを配置する構造では、回転力保持体と外ケースとの間において発生する耳障りな接触音や、磨耗を防止できない。
【０００８】
【発明が解決しようとする課題】
本発明の課題は、上げ下げ窓の開閉操作を静穏、且、円滑に行うことができるパイプバランサを提供することである。
【０００９】
【課題を解決するための手段】
上述した課題を解決するため、本発明に係るパイプバランサは、外ケースと、回転力保持体と、載荷棒と、第１の筒状部材と、第２の筒状部材とを含む。前記外ケースは、パイプ状である。前記回転力保持体は、長さ方向に向かって蔓巻形状に伸びている。前記載荷棒は、長さ方向に向かってスクリュウ状に捻られている。前記第１の筒状部材は、少なくとも内周面及び外周面が合成樹脂でなる。前記第２の筒状部材は、少なくとも内周面及び外周面が合成樹脂でなる。前記載荷棒は、前記第１の筒状部材の内部に挿入されている。前記第１の筒状部材は、前記回転力保持体の内部に挿入されている。前記回転力保持体は、前記第２の筒状部材の内部に挿入されている。前記第２の筒状部材は、前記外ケースの内部に挿入されている。
【００１０】
上げ下げ窓への組み込みに当たっては、パイプバランサの上端部をサッシ縦枠上端に固定し、載荷棒の下端部を上げ下げ窓の下框に固定することにより、左右に取付けた２本のパイプバランサで、上げ下げ窓をサッシ縦枠に吊り下げられた状態にする。
【００１１】
ここで、本発明に係るパイプバランサは、外ケースと、回転力保持体と、載荷棒とを含む。前記外ケースは、パイプ状である。回転力保持体は、長さ方向に向かって蔓巻形状に伸びている。載荷棒は、長さ方向に向かってスクリュウ状に捻られている。従って、上げ下げ窓への上記の取り付け構造において、上げ下げ窓を下に下げると、上げ下げ窓に連結した載荷棒が外ケースから引き出される。載荷棒のスクリュウ状に捻られた部分は、回転力保持体の下端に設けられたスリット部分を通過するときに、回転力保持体に捻り回転を与えることになる。捻り回転を与えられた回転力保持体には、元に戻ろうとする力が蓄えられており、この元に戻ろうとする力が載荷棒を上に押し上げる力として作用する。更に、載荷棒を上に押し上げる力と、上げ下げ窓の重量とがバランスして、上げ下げ窓を開閉位置に自在に留め置くことができることになる。
【００１２】
更に、本発明に係るパイプバランサは、第１の筒状部材と、第２の筒状部材とを含んでいる。載荷棒は第１の筒状部材の内部に挿入されており、第１の筒状部材は回転力保持体の内部に挿入されており、回転力保持体は第２の筒状部材の内部に挿入されており、第２の筒状部材は外ケースの内部に挿入されている。
【００１３】
上記組み合わせ構造において、第１の筒状部材は、少なくとも内周面及び外周面が合成樹脂でなる。従って、載荷棒及び回転力保持体は、第１の筒状部材の合成樹脂でなる内周面及び外周面に接することになる。このため、上げ下げ窓の開閉操作に連動して、載荷棒が回転力保持体から引き出され、又は、押し入れられる上下作動が円滑に行われ、耳障りな接触音の発生を防止できるとともに、接触箇所の磨耗を防止できる。
【００１４】
しかも、回転力保持体と外ケースとの間には第２の筒状部材が介在することになる。第２の筒状部材は、少なくとも内周面及び外周面が合成樹脂でなる。従って、回転力保持体及び外ケースは、第２の筒状部材の合成樹脂でなる内周面及び外周面に接することになる。このため、回転力保持体と外ケースとの間に、耳障りな接触音が発生するのを防止できるとともに、接触箇所の磨耗を防止できる。
【００１５】
さらに、第１及び第２の筒状部材を使用する構造によると、グリース等の液状、若しくは、粘液状の緩衝材を塗布するに比べ、取り扱いが容易であるとともに、安定した緩衝効果を維持できる。また、合成樹脂材料を含む第１及び第２の筒状部材を使用する方法によると、シート等を巻きつける方法に比べ、巻きこみ事故等の発生を防止できる。
【００１６】
本発明の他の目的、構成及び利点については、添付図面を参照し、更に詳しく説明する。添付図面は、単に、例示に過ぎない。
【００１７】
【発明の実施の形態】
図１は本発明に係るパイプバランサの構造を説明する図、図２は図１に示したパイプバランサを組み立てた平面図、図３は図２に示したパイプバランサの一部拡大断面図である。図示するパイプバランサは、外ケース１１と、載荷棒１２と、回転力保持体１３と、第１の筒状部材１４と、第２の筒状部材１５とを含む。
【００１８】
外ケース１１は、細長パイプ状であって、中空部１１１を含む。また、外ケース１１は、長さ方向の一端側に止めねじ孔１１２を有し、他端側に内向きの鍔１１３とを含む。外ケース１１は、好ましくはアルミニウム等の金属材料を成型してなる。
【００１９】
載荷棒１２は、長さ方向に向かって捻られたスクリュウ状部１２２を有する。スクリュウ状部１２２のピッチ数、及び、ピッチ間隔等は、設計的事項に属する。本発明において、スクリュウ状とは一枚の板状部材を１軸の周りに、必要回数捻りを与えて得られる形状をいう。
【００２０】
また、載荷棒１２は、先端部に引掛爪１２１を有する。引掛け爪１２１は、上げ下げ窓において、後述する回転力調整器（図４参照）と連結される。載荷棒１２は、好ましくはアルミニウム等の金属材料を含む。
【００２１】
回転力保持体１３は、長さ方向に向かって蔓巻状に伸びている。回転力保持体１３の蔓巻状は、中空部１３９を有する。回転力保持体１３は、好ましくは、金属ばね材料からなる。本発明において、蔓巻状とは、１軸の周りに回転しながら、１軸の方向に巻き進む姿態をいう。
【００２２】
更に、回転力保持体１３は、長さ方向の一端側に固定具１３１を有し、他端側に回転ガイド１３２を有する。固定具１３１は、中空部１３５と、鍔１３６と、貫通孔１３７とを含む。鍔１３６は、外ケース１１の端部と固定される。貫通孔１３７は、外ケース１１の止めねじ孔１１２に適合するように位置決めされる。固定具１３１は、ブロック状をなし、好ましくは合成樹脂材料からなる。
【００２３】
回転ガイド１３２は、スリット１３３と、突起１３４と、中空部１３５とを含む。スリット１３３は、中空部１３５の内部に設けられ、載荷棒１２をガイドする。突起１３４は、回転ガイド１３２の外周面上に設けられ、外ケース１１の鍔１１３を回転自在に挟む。固定具１３１の中空部１３５と、回転力保持体１３の中空部１３９と、回転ガイド１３２の中空部１３５とは、軸方向において連続する貫通構造を有する。
【００２４】
第１の筒状部材１４は、少なくとも内周面及び外周面が合成樹脂でなり、細長パイプ状であるとともに、中空部１４１を有する。第２の筒状部材１５は、少なくとも内周面及び外周面が合成樹脂でなり、細長パイプ形状であるとともに、中空部１５１を有する。図示実施例では、第１及び第２の筒状部材１４、１５は全体が合成樹脂材料で構成されている。この他、第１及び第２の筒状部材１４、１５の基体部分は金属材料などで構成し、その内周面及び外周面に合成樹脂膜を被着させた構造を採用することもできる。
【００２５】
第１及び第２の筒状部材１４、１５に含まれる合成樹脂材料としては、硬質ポリエチレン、ポリプロピレン、その他熱可塑性及び熱硬化性合成樹脂材料を適宜選択して、使用することができる。
【００２６】
図２及び図３に示すように、パイプバランサの構造について、載荷棒１２は、第１の筒状部材１４の中空部１４１に挿入されている。第１の筒状部材１４は、回転力保持体１３の中空部１３９に挿入されている。回転力保持体１３は、第２の筒状部材１５の中空部１５１に挿入されている。第２の筒状部材１５は、外ケース１１の中空部１１１に挿入されている。
【００２７】
換言すれば、載荷棒１２と回転力保持体１３との間には第１の筒状部材１４が介在し、及び、回転力保持体１３と外ケースとの間には第２の筒状部材１５が介在している。従って、載荷棒１２と回転力保持体１３との間、及び、回転力保持体１３と外ケース１１との間において、それぞれが相互に直接接触することを防止できる。
【００２８】
図１乃至図３に示したパイプバランサは、回転力調整器と組み合わされて、上げ下げ窓の開閉操作に用いられるバランサ装置を構成する。本発明に係るパイプバランサを用いたバランサ装置について、図４を参照しつつ説明する。
【００２９】
図４は、本発明に係るパイプバランサを備えた上げ下げ窓の正面図である。図示する上げ下げ窓９０は、縦枠９１と、はめ殺しガラス部９３と、移動窓９５とを含み、更に、左右１対の縦枠９１の溝内には、それぞれパイプバランサ１と、回転力調整器２とを含むバランサ装置を備えている。
【００３０】
パイプバランサ１は、図１乃至図３を参照して説明したパイプバランサである。回転力調整器２は、周知のものを使用することができる。矢印Ａはバランサ１の軸心方向を示しており、矢印Ｂはパイプバランサ１の軸心方向及び縦枠９１に直角を成す方向を示している。
【００３１】
パイプバランサ１を構成している外ケース１１の上端部には、止めねじ孔１１２が設けられており、外ケース１１は、止めねじ５２で縦枠９１の上端部に固定されている。また、パイプバランサ１の構成部材である載荷棒１２の下端部には、引掛爪１２１が設けられており、載荷棒１２は、回転力調整器２に連結する。更に、回転力調整器２は、移動窓固定軸５１を介して、移動窓９５の下部と連結している。従って、移動窓９５を矢印Ａ１、Ａ２方向に開閉する度に、載荷棒１２は外ケース１１から出入りして、移動窓９５を開閉位置に自在に留め置くことができる。
【００３２】
上述した構造において、周知のように載荷棒１２は、回転力保持体１３から出入りする度に、載荷棒１２のスクリュウ状部１２２が、回転ガイド１３２のスリット１３３を通過するときに規制され、スクリュウ状部１２２のスクリュウ状に沿って回転力保持体１３を捻り上げ回転させる働きをする。また、載荷棒１２を回転することにより、回転ガイド１３２を介し回転力保持体１３を捻り上げ回転させることもできる。いずれにしても、蔓巻状の回転力保持体１３は、捻り上げられて回転力が蓄えられる。
【００３３】
捻り回転を与えられた回転力保持体１３には、元に戻ろうとする力が働き、この元に戻ろうとする力が、載荷棒１２のスクリュウ状部１２２に作用し、載荷棒１２を上に押し上げる力として作用する。更に、載荷棒１２を上に押し上げる力と、移動窓９５の重量がバランスして、移動窓９５を開閉位置に自在に留め置くことができることになる。
【００３４】
載荷棒１２と回転力保持体１３との間には第１の筒状部材１４が介在し、回転力保持体１３と外ケース１１との間には第２の筒状部材１５が介在している。その結果、載荷棒１２と回転力保持体１３との間、及び、回転力保持体１３と外ケース１１との間において、それぞれが相互に直接接触することを防止できるから、移動窓９５の開閉操作に連動して載荷棒１２が回転力保持体１３から引き出され、又は、押し入れられる上下作動時においても、耳障りな接触音の発生を防止できるとともに、接触箇所が磨耗することを防止できる。
【００３５】
また、第１及び第２の筒状部材１４、１５を使用する方法によると、グリース等を塗布する方法と異なり、緩衝材の取り扱いが容易になる。具体的には、定期的な緩衝材の補充が不要となる。また、塗布むら等の発生の危険はなく、安定した緩衝効果を維持できる。更に、緩衝材が外部に漏出する恐れもない。
【００３６】
同様に、シートを配置する方法とは異なり、常に摩擦力が発生している載荷棒１２と回転力保持体１３との間においても、又、回転力保持体１３と外ケース１１との間においても、巻き込み事故やその他の作動不良が誘発されることはない。
【００３７】
以上、好ましい実施例を参照して本発明の内容を具体的に説明したが、本発明の基本的技術思想及び教示に基づいて、当業者であれば、種種の変形態様を採り得ることは自明である。
【００３８】
【発明の効果】
以上述べたように、本発明によれば、上げ下げ窓の開閉操作を静穏に、且、円滑に行うことができるパイプバランサを提供することができる。
【図面の簡単な説明】
【図１】本発明に係るパイプバランサの構造を説明する図である。
【図２】図１に示したパイプバランサを組み立てた平面図である。
【図３】図２に示したパイプバランサの一部拡大断面図である。
【図４】本発明に係るパイプバランサを備えた、上げ下げ窓の正面図である。
【符号の説明】
１１　　　　外ケース
１２　　　　載荷棒
１３　　　　回転力保持体
１４　　　　第１の筒状部材
１５　　　　第２の筒状部材
【図１】
2004019349.tif 000003
【図２】
2004019349.tif 000004
【図３】
2004019349.tif 000005
【図４】
2004019349.tif 000006